(57)【要約】      （修正有）【課題】ランドセルの前ポケット部の縫製作業が容易で、かつ、開口部の上部にごみ等がたまりにくい構造のランドセルを提供する。【解決手段】主収納部５、副収納部７、前ポケット部１０および蓋板３５とからなるランドセル本体２において、前記副収納部７の前面に取付ける前ポケット部１０は、中央に記名窓部１２を有した表面板部１１の上面と両側上半分を連続して開口した開口部１３にスライドファスナー１５の一辺前テープ地１６を縫着して開閉可能に形成し、該スライドファスナーの他辺後テープ地１７と、前記表面板部１１と同一素材で形成した帯状のマチ帯片２５の一辺接続部２６を縫着し、該マチ帯片の他辺立上部２７を上方に折曲げて前記副収納部７の前板８にスライドファスナー１５と並行に位置させて前記立上部２７を表面側から前板８に縫着して形成する。【選択図】図３
0003150262.tif 000002
【実用新案登録請求の範囲】
【請求項１】
主収納部（５）、副収納部（７）、前ポケット部（１０）および蓋板（３５）などからなるランドセル本体（２）において、前記前ポケット部（１０）は、中央に記名窓部（１２）を有した表面板部（１１）の上方に設けた開口部（１３）にスライドファスナー（１５）の一辺を取付け、該スライドファスナーの他辺を帯状に形成したマチ帯片（２５）の一辺と縫着して開閉可能に形成し、前記マチ帯片（２５）の他辺を上方に折り曲げると共に、該他辺を前記副収納部（７）の前板（８）に表面側から縫着して形成したことを特徴とするランドセル。
【請求項２】
前記スライドファスナー（１５）は、前テープ地（１６）を前記表面板部（１１）の周縁に取付けた枠芯部（２０）を介して縫着し、後テープ地（１７）を前記表面板部（１１）と同一素材で形成した帯状のマチ帯片（２５）の一方接続部（２６）と縫着し、他方立上部（２７）を上方へ折り曲げてスライドファスナー（１５）と並行に位置させ、前ポケット部（１０）の表面側から前記立上部（２７）を前記前板（８）に縫着して形成したことを特徴とする請求項１記載のランドセル。
【請求項３】
主収納部（５）、副収納部（７）、前ポケット部（１０）および蓋板（３５）とからなるランドセル本体（２）において、前記副収納部（７）の前面に取付ける前ポケット部（１０）は、中央に記名窓部（１２）を有した表面板部（１１）の上面と両側上半分を連続して開口した開口部（１３）にスライドファスナー（１５）の一辺前テープ地（１６）を縫着して開閉可能に形成し、該スライドファスナーの他辺後テープ地（１７）と、前記表面板部（１１）と同一素材で形成した帯状のマチ帯片（２５）の一辺接続部（２６）を縫着し、該マチ帯片の他辺立上部（２７）を上方に折曲げて前記副収納部（７）の前板（８）にスライドファスナー（１５）と並行に位置させて前記立上部（２７）を表面側から前板（８）に縫着して形成したことを特徴とするランドセル。
【考案の詳細な説明】
【技術分野】
【０００１】
本考案は、スライドファスナーで開閉する開口部を有した前ポケット部を表面側から縫着して形成したランドセルに関する。
【背景技術】
【０００２】
従来、ランドセルは、教科書やノートなどを収納する主収納部と、各種教材を収容する副収納部と、前記収納部に入れると落下して紛失しやすい分度器やコンパスなどの小物を収容する前ポケット部などを皮革または合成皮革などにより縫製して形成されている。
【０００３】
図５に示すごとく、前ポケット部５０は、収容物の落下や収容した小物の紛失などを防止するため、上面開口部５２にスライドファスナー５３を取付けて開閉可能に形成し、表面板部５１の略中央に設けた記名窓部（図示せず）には、裏面にランドセルの使用者の名前、学年、組などを表記した記名板を収納する記名部を設けて形成してある。
【０００４】
ランドセルを製造する縫製工程において、副収納部の前板４８に前ポケット部５０を取付けるには、天然皮革または合成皮革などで形成した表面板部５１の上方に開口部５２を形成し、該開口部にスライドファスナー５３の一辺を縫着すると共に、前記表面板部５１の底辺を内側に折り曲げて底部を形成し、両側下方にマチ板片５６を取付けて前記前板４８の周縁と一体に縫着する。
【０００５】
次いで、前記開口部５２に取付けたスライドファスナー５３の他辺と、マチ帯片５６の一辺とを縫着し、前記マチ帯片５６の他辺（以下、折曲辺という）５６ａを、前板４８の所定箇所に縫着して形成されている。
【０００６】
特に前記マチ帯片５６の折曲辺５６ａを前板４８に取付ける場合、図５、６に示すごとく、前ポケット部５０の開口部５２を開けた後、該開口部の内側からマチ帯片５６の折曲辺５６ａを下方に折り曲げながらスライドファスナー５３と並行に位置させて前板４８に縫着して形成することが知られている。
【特許文献１】特開２００５−３４２０１３号
【０００７】
しかし、ランドセルに使用する皮革材は、長期間使用することから丈夫で比較的硬度性を有する肉厚なものを使用するため、皮革の折り曲げ作用に対しては強い反発力を有する。また、前ポケット部５０の形状は、前後方向の幅が薄いわりにはポケットの奥が深く形成され、且つ、前ポケット部５０の開口部５２を大きく開けることが困難であるものが多い。
【０００８】
特にマチ帯片５６の折曲辺５６ａの縫製は、前記したごとく、幅の短い肉厚な皮革からなるマチ帯片５６の折曲辺５６ａを下方に折り曲げて同一形態を維持させながら、開口部５２に縫着したスライドファスナー５３と並行で、しかも狭い開口部５２の内側から前板４８に縫着している。そのため、折曲辺５６ａの縫製作業は、熟練した技術と縫製作業に長時間が必要であった。また、縫製後の前ポケット部５０は、マチ帯片５６の折曲辺５６ａを下方に折り曲げて取付けてあるため、前板４８とマチ帯片５６との隙間にごみやほこりが溜まりやすいなどの問題点を有している。
【考案の概要】
【考案が解決しようとする課題】
【０００９】
そこで本考案は、ランドセルの縫製工程において、熟練した技術を要する前ポケット部５０の縫製作業を簡略化し、取付け工程の効率化を図ることにより、製品の歩留まりを減少させてコストダウンを図り、且つ、前ポケット部の開口部の上部にごみやほこりが溜まるのを防止することを目的とする。
【課題を解決するための手段】
【００１０】
上記課題を達成するために請求項１の考案は、主収納部５、副収納部７、前ポケット部１０および蓋板３５などからなるランドセル本体２において、前記前ポケット部１０は、中央に記名窓部１２を有した表面板部１１の上方に設けた開口部１３にスライドファスナー１５の一辺を取付け、該スライドファスナーの他辺を帯状に形成したマチ帯片２５の一辺と縫着して開閉可能に形成し、前記マチ帯片２５の他辺を上方に折り曲げると共に、前記副収納部７の前板８に前記前ポケット部１０の外側から縫着して形成したことを特徴とする。また、前記スライドファスナー１５は、前テープ地１６を前記表面板部１１の周縁に取付けた枠芯部２０を介して縫着し、後テープ地１７を前記表面板部１１と同一素材で形成した帯状のマチ帯片２５の一方接続部２６と縫着し、他方立上部２７を上方へ折り曲げてスライドファスナー１５と並行に位置させ、前ポケット部１０の表面側から前記立上部２７を前記前板８に縫着して形成したことを特徴とする。
【００１１】
したがって、スライドファスナー１５の後テープ地１７と縫着したマチ帯片２５の立上部２７を、上方に折り曲げて副収納部７の前板８にスライドファスナー１５と並行に位置させて、前ポケットの表側から立上部２７を縫着することができるので、縫製作業に熟練した技術を要せず短時間で取付けることができ、作業の効率化を図ることができ、且つ、製品の歩留まりを減少させることによりコストダウンを図り、さらには、前ポケット部の開口部の上部にごみやほこりが溜まるのを防止することができる。
【００１２】
請求項３の考案は、主収納部５、副収納部７、前ポケット部１０および蓋板３５とからなるランドセル本体２において、前記副収納部７の前面に取付ける前ポケット部１０は、中央に記名窓部１２を有した表面板部１１の上面と両側上半分を連続して開口した開口部１３にスライドファスナー１５の一辺前テープ地１６を縫着して開閉可能に形成し、該スライドファスナーの他辺後テープ地１７と、前記表面板部１１と同一素材で形成した帯状のマチ帯片２５の一辺接続部２６を縫着し、該マチ帯片の他辺立上部２７を上方に折曲げて前記副収納部７の前板８にスライドファスナー１５と並行に位置させて前記立上部２７を表面側から前板８に縫着して形成したことを特徴とする。
【００１３】
したがって、開口部１３に取付けたスライドファスナー１５の一辺に縫着したマチ帯片２５の立上部２７を上方に折り曲げて副収納部７の前板８にスライドファスナー１５と並行に位置させることにより、前ポケット部１０の外側から短時間で立上部２７を縫着することができるので、前ポケット部の縫製作業を簡略化して取付け作業の効率化を図り、且つ、前ポケット部の開口部の上部にごみやほこりが溜まるのを防止することができる。
【図面の簡単な説明】
【００１４】
【図１】蓋板を開いたランドセルの斜視図である。
【図２】前ポケット部の拡大正面図である。
【図３】図２のＡ―Ａ線拡大断面図である。
【図４】マチ帯片の立上部が伸びた状態を示す拡大断面図である。
【図５】従来の前ポケット部に取付け状態を示す斜視図である。
【図６】従来の前ポケット部の取付け状態を示す断面図である。
【考案を実施するための形態】
【００１５】
本考案の実施の形態を図面に基づいて説明すると、図１は蓋板を開いたランドセルの斜視図、図２は前ポケット部の拡大正面図、図３は図２のＡ―Ａ線拡大断面図、図４はマチ帯片が延びた状態の拡大断面図である。ランドセル１は、天然皮革または合成皮革などにより形成されたランドセル本体２と、該ランドセル本体２を背負う背負ベルト（図示せず）とからなり、ランドセル本体２は、背板３の背面に教科書やノートなどを収納する主収納部５と、各種教材を収容する副収納部７と小物を収容する前ポケット部１０と、前記ランドセル本体２の上面全体を覆う蓋板３５とにより構成されている。
【００１６】
前記前板8に取付ける前ポケット部１０は、図２、３に示すごとく、表面板部１１の両側と上端周縁に枠芯部２０を取付け、底辺を内側に折り曲げて底部を形成し、両側下方にマチ板片３７を縫着し、前記表面板部１１の上方を広く開口した開口部１３にスライドファスナー１５とマチ帯片２５を取付けて開閉可能に形成してある。
【００１７】
前記前ポケット部１０を構成するスライドファスナー１５は、周知のスライドファスナーで、一対の前後テープ地１６、１７の対向する面にそれぞれエレメントを取付け、該エレメントをスライダー１８の移動により歯合または開放可能に形成してある。
【００１８】
このスライドファスナー１５の取付けは、前記表面板部１１の周縁部に位置した枠芯部２０と、表面板部１１の開口部１３の周縁部と、スライドファスナー１５の前テープ地１６とを一体に縫着すると共に、後テープ地１７をマチ帯片２５の一辺接続部２６に縫着して形成する。
【００１９】
前記枠芯部２０は、前ポケット部１０の形状を維持させるため表面板部１１の周縁に介在させるもので、合成樹脂材または金属材で形成した芯線２１、好ましくは形状記憶線材により形成した芯線の外周面を薄厚の皮革または合成皮革などで形成した保護膜２２で覆って形成し、該保護膜の縫い代部２３と、前記表面板部１１の上縁端部と、前記スライドファスナー１５の前テープ地１６とを縫着して形成する。前記縫着部分には、各端部の露出を防止するためカバー布（図示せず）を取付けて縫着してもよい。
【００２０】
前記マチ帯片２５は、皮革または合成皮革、好ましくは、前記前ポケット部１０を構成する表面板部１１と同一素材により形成し、短尺幅方向の両端をそれぞれ折り返して肉厚に形成して接着することによりマチ帯片２５に硬度性と強度性を持たせ、長手方向の略中央を逆Ｌ字形に折り曲げ可能に形成し、水平方向の接続部２６と垂直方向に位置する立上部２７をそれぞれ形成してある。
【００２１】
前記マチ帯片２５の連結は、接続部２６とスライドファスナー１５の後テープ地１７とを縫着し、マチ帯片２５の立上部２７を逆Ｌ字形に折り曲げて立ち上げ、副収納部７の前板８の所定箇所にスライドファスナー１５と並行に位置させる。前記マチ帯片２５の立上部２７は、開口部１３の外側上方に位置するため、前板８への縫製作業を簡単に行うことができ、縫製作業に特別な熟練した技術を必要とすることなく、短時間で縫製することができるので、製品の歩留まりを減少させて生産性を向上させることができる。
【００２２】
前記表面板部１１の略中央に設けた記名窓部１２は、該記名窓部の裏面にランドセル１の持ち主の名前、学年、組などを表記する記名板３２を収納するポケット部３０を取付けてある。
【００２３】
前記ポケット部３０は、表面板部１１に設けた記名窓部１２の裏面に取付ける透明または半透明な合成樹脂板からなる保護板３１と、該保護板の背面に記名板３２を収容する隙間を設けて強度性を有する背面板３３とにより形成され、上縁に設けた開口部から前記記名板３２を出し入れ可能に収納してある。
【００２４】
前記背面板３３は、皮革または合成皮革あるいは合成樹脂板あるいはボール紙などで形成されるが、好ましくは、ボール紙に合成樹脂材を含浸させて圧縮成形したボード板を使用することにより、強度性と定形性に優れ、しかも軽量で経済的である。
【００２５】
以下、本考案の実施形態の作用について説明すると、ランドセル本体２を構成する前ポケット部１０の縫製工程は、表面板部１１の中央に設けた記名窓部１２の裏面にランドセル１の使用者の名前、学年、組などを表記した記名板３２を収納するポケット部３０を取付ける。このポケット部３０は、記名窓部１２を裏面から覆う透明または半透明の保護板３１と、該保護板の裏側に記名板２７を挿通する隙間を設けて背面板３３を取付けて形成する。
【００２６】
次いで、表面板部１１の底辺を除く周縁に位置させた枠芯部２０の開口部付近の縫い代部２３と、前記表面板部１１の開口部１３周縁と、スライドファスナー１５の前テープ地１６とを裏側からそれぞれ一体に縫着固定し、さらに前記スライドファスナー１５の後テープ地１７と、マチ帯片２５の接続部２６とを縫着する。前記表面板部１１の周縁と、スライドファスナーの前テープ地１６と、枠芯部２０の縫い代部２３との縫着部分は、それぞれの端部が露出しているため、この露出した端部にカバー布を取付けて縫着してもよい。
【００２７】
次いで、前記マチ帯片２５の立上部２７を逆Ｌ字形に折り曲げて副収納部７の前板８の所定箇所でスライドファスナー１５と並行に位置させる。前記マチ帯片２５の立上部２７が、開口部１３の外側上方に位置するため、立上部２７を前板８に縫着する縫製作業を簡単に行うことができる。
【００２８】
次いで、表面板部１１の両側下方に位置する襠板片３７の一辺と、枠芯部２０の縫い代部２３と、表面板部１１の両側下方縁とを縫着し、さらに襠板片３７の上辺に、前記スライドファスナー１５とマチ帯片２５の両側下端とをそれぞれ縫着し、前記襠板片３７の他辺を前板８の両側縁に縫着することにより、前ポケット部１０を形成することができる。さらに、前記前ポケット１０を副収納部７の前面に縫着してランドセル本体２を形成する。
【００２９】
以上のごとく、前ポケット部１０の縫製工程は、特別な熟練した縫製技術を必要とすることなく短時間で能率的に行うことができるので、製品の歩留まりを減少させることができ、前ポケット１０の縫製工程は、前記工程に限定するものではなく、都合により工程を前後させてもよい。
【００３０】
前記前ポケット部１０は、マチ帯片２５の立上部２７を逆Ｌ字形の上方に折り曲げてスライドファスナー１５と並行に取付けたことにより、スライダー１８の開閉操作において、スライダーが引っかからずスムースに行うことができ、また、マチ帯片２５の上面に折り溝ができないのでごみやほこりが溜まるのを防止することができる。
【００３１】
さらには、前板部８に取付けた前ポケット部１０は、図４に示すごとく、前記マチ帯片２５の立上部２７を逆Ｌ字形の上方に折り曲げ、該折り曲げ部分を縫着せず、立上部２７の端部を前板８に縫着固定してあるため、前ポケット部１０の開口部付近が手前方向に引張られると、マチ帯片２５の立上部２７が縫い目付近から折れ曲がり、立上部２７と接続部２６が直線状に伸び、開口部付近のマチ幅を広くすることができるので、前ポケット部１０の収容容量を多くすることができる。
【符号の説明】
【００３２】
１      ランドセル
２      ランドセル本体
５      主収納部
７      副収納部
８      前板
１０    前ポケット部
１１    表面板部
１３    開口部
１５    スライドファスナー
１６    前テープ地
１７    後テープ地
２０    枠芯部
２５    マチ帯片
２６    接続部
２７    立上部
３５    蓋板
【図１】
0003150262.tif 000003
【図２】
0003150262.tif 000004
【図３】
0003150262.tif 000005
【図４】
0003150262.tif 000006
【図５】
0003150262.tif 000007
【図６】
0003150262.tif 000008